(57)【要約】【課題】スペーサーボルトが存在しない部分の表面にモルタル等の湿式材料を塗布する場合でも、高い剥落防止効果を可能にする壁係止補助具及び壁面加工工法を提供する。【解決手段】コンクリート打設用型枠２１の内面に装着する壁係止補助具２０であって、コンクリート２２に埋設される本体部１と該本体部１を前記型枠２１に装着する固定手段２とからなり、本体部１は側面が逆テーパＴに形成され、かつ型枠２１に対向する面に多数の係止部３を形成すると共に、これら係止部３の周囲を取り囲むように堰堤部４を形成した。また、この壁係止補助具２０を使用して湿式材料の壁を形成する加工工法である。【選択図】　　　図２
2004036132.tif 000002
【特許請求の範囲】
【請求項１】
コンクリート打設用型枠の内面に装着する壁係止補助具であって、前記コンクリートに埋設される本体部と該本体部を前記型枠に装着する固定手段とからなり、前記本体部は型枠に対向する方向に対して後方側の箇所に前方側よりも横断面積の大きな部分を有するように形成され、かつ型枠と対向する面に多数の係止部を形成すると共に、これら係止部の周囲を取り囲むように堰堤部を形成した壁係止補助具。
【請求項２】
前記本体部が型枠に対向する方向に対して後方側ほど横断面積が拡大する逆テーパ部を有するように形成されている請求項１に記載の壁係止補助具。
【請求項３】
前記固定手段が釘であり、その先端部が前記本体部の型枠に対向する側へ延長するようにした請求項１又は２に記載の壁係止補助具。
【請求項４】
前記釘の頭部が前記本体部に対して前記先端部と反対側に露出するようにした請求項３に記載の壁係止補助具。
【請求項５】
前記釘がプラスチックからなる請求項３又は４に記載の壁係止補助具。
【請求項６】
前記釘が長手方向の途中にノッチを有する請求項３、４又は５に記載の壁係止補助具。
【請求項７】
前記本体部がプラスチックからなる請求項１〜６のいずれかに記載の壁係止補助具。
【請求項８】
前記プラスチックが、６−ナイロンまたはポリフェニレンサルファイドである請求項７に記載の壁係止補助具。
【請求項９】
前記係止部が、ループ状、円弧状、Ｌ字状、Ｔ字状、きのこ状またはロッド状に形成されている請求項１〜８のいずれかに記載の壁係止補助具。
【請求項１０】
請求項１〜９のいずれかに記載の複数個の壁係止補助具をコンクリート打設用型枠の内面に分散配置するように固定し、コンクリートを打設し固化した後に前記型枠を取り外し、次いで該型枠取り外し後のコンクリート表面に湿式材料を塗布する壁面加工工法。
【請求項１１】
前記型枠取り外し後のコンクリート表面に前記湿式材料を塗布する前に、該コンクリート表面に露出する前記複数個の壁係止補助具の係止部を互いに線状材で連結する請求項１０に記載の壁面加工工法。
【請求項１２】
前記線状材がステンレス線、繊維コード又は樹脂製モノフィラメントである請求項１１に記載の壁面加工工法。
【請求項１３】
前記湿式材料に短繊維を混合して使用する請求項１０，１１又は１２に記載の壁面加工工法。
【発明の詳細な説明】
【０００１】
【発明の属する技術分野】
本発明は壁係止補助具及び壁面加工工法に関し、さらに詳しくは、躯体コンクリートの梁下や天井面等の軒天と呼ばれる部分の表面に塗布されるモルタル等の湿式壁材の剥落防止に好適な壁係止補助具及び壁面加工工法に関する。
【０００２】
【従来の技術】
コンクリート建造物における柱や壁は、前後２枚の型枠の間を複数本のスペーサボルトで一定間隔に保持し、その型枠間にコンクリートを打設し、コンクリートが固化したのちに型枠を取り外すことで建造されている。また、型枠を取り外し後の躯体コンクリートの表面は、そのままでは外観が悪いため、表面仕上げとしてモルタル等の湿式材料を一定厚みに塗布したり、必要により更にタイルなどを貼りつけるようにしている。
【０００３】
しかしながら、後から塗布したモルタルは、温度や湿度の変化に伴う膨張や収縮、反りなどにより、また躯体コンクリートとモルタルとの間に侵入した水の凍結などにより、躯体コンクリートから剥離したり、場合によっては剥落するといった問題がある。
【０００４】
本出願人等は、上記問題の対策として、先に特願平１０−３３９８８７号により、スペーサボルトに対するコネクタとモルタルの剥離防止接着補助具とを一体にした接着補助具を提案した。しかしながら、この接着補助具は型枠間隔支持用のスペーサーボルトを利用するものであるため、スペーサーボルトが無い梁下や天井面等の所謂軒天とよばれる部分に塗布されたモルタル等の湿式材料の剥落防止には使用することができなかった。また、スペーサーボルトが存在する場合でも、剥落防止効果を高める為に接着補助具の個数を多く使用したい場合には、スペーサーボルトを増やす必要があるため、コストアップや作業効率の低下を招くという問題があった。
【０００５】
【発明が解決しようとする課題】
本発明の目的は、上記従来の問題を解決し、スペーサーボルトが存在しない部分の躯体コンクリート表面にモルタル等の湿式材料を塗布する場合であっても、高い剥落防止効果を可能にする壁係止補助具及び壁面加工工法を提供することにある。
【０００６】
【課題を解決するための手段】
上記目的を達成する本発明の壁係止補助具は、コンクリート打設用型枠の内面に装着する壁係止補助具であって、前記コンクリートに埋設される本体部と該本体部を前記型枠に装着する固定手段とからなり、前記本体部は型枠に対向する方向に対して後方側の箇所に前方側よりも横断面積の大きな部分を有するように形成され、かつ型枠と対向する面に多数の係止部を形成すると共に、これら係止部の周囲を取り囲むように堰堤部を形成したことを特徴とするものである。
【０００７】
このように本発明の壁係止補助具は、コンクリート打設用型枠の内面に装着固定する構成になっているため、スペーサーボルトの存在しない箇所にも取り付けることができる。また、本発明の壁係止補助具の本体部は、型枠に対向する方向に対して後方側の箇所に前方側よりも横断面積の大きな部分を有するように形成されているので、コンクリートに埋設されると、その横断面積の大きな部分によって抜け止めされた状態になり、かつ型枠に対向する面に多数の係止部を有し、その周囲を堰堤部で取り囲むようにしているので、型枠を取り外すと、躯体コンクリートの表面に係止部が露出状態になるため、その表面にモルタル等の湿式材料を塗布することによって高い剥落防止効果を得ることができる。
【０００８】
本発明の壁面加工工法は、上記構成からなる壁係止補助具を使用するもので、その複数個の壁係止補助具をコンクリート打設用型枠の内面に分散配置するように固定し、コンクリートを打設し固化した後に前記型枠を取り外し、次いで該型枠取り外し後のコンクリート表面に湿式材料を塗布することを特徴とするものである。
【０００９】
【発明の実施の形態】
図１（Ａ），（Ｂ）は、本発明の実施形態からなる壁係止補助具を例示したものである。
【００１０】
図１に示す壁係止補助具２０において、１は樹脂又は金属から成形された本体部であり、２は本体部１を不図示の型枠の内面に装着する固定手段となる釘である。本体部１は基盤部１１と凸部１２を有し、基盤部１１側を型枠側に配置するようになっている。また、凸部１２は側面が基盤部１１側に向かうほど径が小さくなる逆テーパＴに形成され、この逆テーパＴによりコンクリートに埋設されたとき大きな引抜き抵抗を発生するようにしている。
【００１１】
コンクリートに埋設したとき大きな引抜き抵抗を発生させる手段としては、本体部１の形状を、型枠に対向する方向に対して後方側の箇所に前方側よりも横断面積の大きな部分を有するように形成すればよい。この構成要件を満たせば特に形状は限定されず、上記の凸部１２の側面を逆テーパＴに形成するもののほか、図８に例示するように、本体部１の後端にフランジ１ｆを形成したものであってもよい。ただし、コンクリートの充填性の観点からは、フランジ１ｆを設ける後者よりも逆テーパＴを設ける前者の方がすぐれている。
【００１２】
固定手段の釘２は、本体部１を貫通するように設けられ、頭部２ａを凸部１２の上面に固定すると共に、先端の尖端部２ｂが基盤部１１を貫通して外側へ延長するようになっている。また、釘２が本体部１（基盤部１１）から外側へ延長する途中にノッチ６が設けられている。釘２の材質は本体部１を型枠に固定できる強度を有するものであれば特に限定されない。例えば、鉄、ステンレス、プラスチック等を使用することができる。また、釘２は本体部１に対して着脱自在（抜差し自在）にしたものであっても、或いは本体部１と一体に成形したものであってもよい。
【００１３】
上記本体部１は、基盤部１１の表面にフィラメント状のループで形成された多数の係止部３を有している。これら係止部３は複数の列をなすように配列するように設けられ、かつ各列の底部には細溝５が形成されている。また、基盤部１１の表面には、上記係止部３の全てを取り囲むように堰堤部４が形成されている。堰堤部４の高さは係止部３と同じであるか、又は係止部３よりもやや高くなっている。
【００１４】
上記のように本体部１に設けた係止部３は、湿式壁材を塗布したとき一体固化してアンカー効果を発揮する手段になる。また、堰堤部４は、壁係止補助具２０を型枠の内面に固定して型枠内に生コンクリートを打設するとき、その生コンクリートが係止部３を埋没させて係止部３のアンカー機能を喪失させないようにする役目を行う。
【００１５】
図２（Ａ）〜（Ｃ）は、本発明の壁係止補助具２０を使用して、躯体コンクリートの表面に湿式材料の壁面を形成する場合の工法を工程順に示す。
【００１６】
図２（Ａ）に示すように、まず、一定間隔に組み立てたコンクリート打設用型枠２１（図では片側だけ示す）の内面に、上記壁係止補助具２０を装着する。この装着は、本体部１の係止部３を型枠２１側に向け、その本体部１に貫通させた釘２の尖端部２ｂを型枠２１に打ち込むことによって行う。このように壁係止補助具２０の装着後、型枠内に生コンクリートを打設する。
【００１７】
生コンクリートは壁係止補助具２０を埋没させるが、堰堤部４によって基盤部１１と型枠２１の間には浸入せず、係止部３が生コンクリートによって覆われることはない。
【００１８】
生コンクリートが固化して躯体コンクリート２２になると、図２（Ｂ）に示すように、脱型作業により型枠２１を取り外す。このように型枠２１を取り外し後の躯体コンクリート２２の表面には、壁係止補助具２０の係止部３が露出すると共に、釘２の先端部が突出状態になっている。この脱型作業において、壁係止補助具２０の本体部１に、凸部１２の側面に逆テーパーＴを形成しておくと、抜け出ることがなく、確実に躯体コンクリート２２に残置させることができる。
【００１９】
上記のように躯体コンクリート２２の表面から突出状態になった釘２は、その側面をハンマーで叩くと、ノッチ６の箇所から先端側が簡単に切断する。このようなノッチは必ずしも必要ではないので、ノッチを設けていない釘の場合は、クリッパー或いはグラインダーなどで切断するようにすればよい。
【００２０】
図２（Ｂ）の状態にした後、躯体コンクリート２２の表面に下地モルタル２３を塗布する。さらに、タイル接着モルタル２４により外装タイル２５を張り付ける。下地モルタル２３は、壁係止補助具２０の係止部３のアンカー作用により係止されるため剥落しにくくなる。
【００２１】
上記のように下地モルタル２３を塗布する際、その塗布前に複数の壁係止補助具２０の係止部３の間を線状材２６によって互いに連結しておくことにより、下地モルタル２３のアンカー効果をさらに高めることができる。また、下地モルタル２３やタイル接着モルタル２４に短繊維を混合しておくことによっても、脱落防止を一層高めることができる。上記線状材２６としては、ステンレス線、繊維コード、樹脂製モノフィラメント等を使用することができる。また、短繊維の材質としては、ナイロン、ポリエステル、ポリエチレン、ポリプレピレンなどの高分子重合体を使用することができる。
【００２２】
上記のように本発明の壁係止補助具２０によれば、コンクリート打設用型枠の内面に装着する構成になっているので、躯体コンクリート２２においてスペーサーボルトが存在しない箇所にも取り付けることができる。また、本体部１における基盤部１１の表面に数の係止部３を設け、これらの全てを囲むように堰堤部４を設けているので、コンクリート打設時の生コンクリートが係止部３に浸入しないように躯体コンクリート２２の表面に露出させることがでる。そのためモルタル等の湿式材料を塗布すると、係止部３のアンカー作用によって優れた剥落防止効果を得ることができる。
【００２３】
本発明の壁係止補助具を使用する場合は、図２（Ｃ）に例示したように、多数の係止部３の相互間をループを介して連結する線状材２６を併用すると好ましい。このような線状材２６を併用することにより、湿式壁材（モルタル２３）の剥落防止効果を一層向上することができる。また、モルタル等の湿式材料（壁材）に短繊維を添加混合すると、モルタルに面連結性が付与されるため、湿式壁材にクラックが生じても、そのクラックの成長を抑制し、湿式壁材の剥落防止効果を一層向上することができる。
【００２４】
線状材２６を併用する場合は、図９に例示するような壁係止補助具２０を使用すると便利である。この壁係止補助具２０は、本体部１の係止部３側にビス２７を植設し、そのビス２７の頭部に設けた連通孔に線状材２６を通して、複数の壁係止補助具２０の間を連結するようにしたものである。このようなビス２７を設けた壁係止補助具２０を使うことにより、複数の壁係止補助具２０の間に線状材２６を掛け渡す作業を効率よく行うことができる。
【００２５】
本発明において、係止部の形状としては、上述したループ状のものに限定されるものでなく、例えば、図３（Ａ）〜（Ｅ）に示すような態様のものであってもよい。図３（Ａ）の係止部３は、円弧状に湾曲したフィラメントからなり、図３（Ｂ）〜（Ｄ）の係止部３は、それぞれＬ字状、Ｔ字状、きのこ状のフック（鉤）を形成したフィラメントからなる。また、図３（Ｅ）の係止部３は、ロッド状のフィラメントからなるものである。
【００２６】
係止部の配列としては、図１（Ｂ）では多数の係止部が並列的に配置された場合を例示したが、例えば、図４に示すように、放射状に配置したものであってもよい。また、全くランダムな配置にしてもよい。
【００２７】
また、本発明の壁係止補助具において、型枠に本体部を固定するための釘は、図１の実施形態のように１本に限定されるものではなく、図５〜図７に例示する実施形態のように複数本を使用してもよい。
【００２８】
図５の実施形態は、本体部１の基盤部１１に設ける堰堤部４を広幅にし、その広幅の堰堤部４に２本の釘２を差し込むようにしている。図６の実施形態は、堰堤部４の幅は図１の態様と同様に狭いが、２本の釘２を基盤部１１に直接差し込むようにしている。また、図７の実施形態は、釘２の頭部２ａが基盤部１１の中に埋設されるように一体成形している。これらの実施形態で示すように、釘２は本体部１に一体化したものでもよく、独立の部材として抜差し自在（着脱自在）にしたものでもよい。
【００２９】
本発明の壁係止補助具において、本体部の材質はコンクリートや湿式壁材に侵されず、かつ湿式壁材を把持する強度を有するものであれば特に限定されない。例えば、ステンレスなどの金属、プラスチックなどを用いることができる。特に、射出成形が容易な熱可塑性樹脂や高強度が得やすい熱硬化性樹脂などのプラスチックが好ましい。
【００３０】
熱可塑性樹脂としては、６−ナイロン、６，６−ナイロン、ポリフェニレンサルファイド（ＰＰＳ）、ポリエステル、ポリエチレン、ポリプロピレン、ポリスチレン、高衝撃ポリスチレン（ＨＩＰＳ）、ＡＢＳ樹脂、変性ポリフェニレンオキサイド（変性ＰＰＯ）、ポリアミドエラストマー、ポリエステルエラストマーなどを挙げることができる。特に、アルカリ性であるコンクリートに対して耐性があり、かつ、強度的にも優れているポリフェニレンサルファイドや６−ナイロンが好ましい。
【００３１】
また、これらの樹脂には、ガラス繊維、炭素繊維などの短繊維状の補強繊維を混入させた繊維強化樹脂を用いると好ましい。繊維強化樹脂は強度が高いため、湿式壁材から受ける力により係止部等が変形することが少なく、高い剥落防止効果を得ることができる。
【００３２】
１個あたりの壁係止補助具が有するモルタルに対する係止力としては、５００Ｎ以上になるように設計することが好ましい。このような係止力により剥落防止効果をより高くすることができる。係止力を５００Ｎ以上にする手段としては、例えば、係止部がループ状のフィラメントの場合は、各ループのフィラメントの太さ（直径）を０．１〜３ｍｍ、ループ直径を２〜１０ｍｍの範囲にするとよい。また、係止部がフック状のフィラメントの場合は、各フックのフィラメントの太さ（直径）を０．１〜５ｍｍにするとよい。また、係止部がロッド状のフィラメントの場合は、各ロッドをフィラメントの太さ（直径）を０．１〜５ｍｍ、高さを２〜１０ｍｍの範囲にするとよい。
【００３３】
また、壁係止補助具１個当たりに設ける係止部の数としては、繊維強化樹脂を用いない場合は２０〜５０個、繊維強化樹脂を用いる場合は５〜３０個とすることが好ましい。
【００３４】
なお、ここで係止力とは、壁係止補助具にモルタル（セメントと砂の混合比１：２．５）を１０ｍｍの厚みに塗布して硬化させた後、引張り試験機で引っ張り、係止部が破断若しくは破壊したときの荷重をいう。
【００３５】
壁係止補助具の製造方法としては、熱可塑性樹脂を用いる場合には一体成形が効率的な生産をする上で好ましい。もちろん、堰堤部を別途成形して、これを本体部に接着或いは溶着するようにしたものであってもよい。
【００３６】
本発明の壁係止補助具は、タイル張りやモルタルに代表される湿式壁材の剥落防止に効果的であるが、さらにしっくい、有機系接着剤、コーキング材などの湿式壁材に対しても適用することができる。また、本発明の壁係止補助具を用いることにより、湿式壁材などの壁が脱落しにくい柱、橋梁、ビルなどのコンクリート構造物を提供することができる。
【００３７】
【発明の効果】
上述したように、本発明の壁係止補助具によれば、コンクリート打設用型枠の内面に装着固定する構成になっているため、スペーサーボルトの存在しない箇所にも取り付けることができる。また、壁係止補助具の本体部は、型枠に対向する方向に対して後方側の箇所に前方側よりも横断面積の大きな部分を有するように形成されているので、コンクリートに埋設されると、その横断面積の大きな部分によって抜け止めされた状態になり、かつ型枠に対向する面に多数の係止部を有し、その周囲を堰堤部で取り囲むようにしているので、型枠を取り外すと、躯体コンクリートの表面に係止部が露出状態になるため、その表面にモルタル等の湿式材料を塗布することによって高い剥落防止効果を得ることができる。
【図面の簡単な説明】
【図１】本発明の実施形態からなる壁係止補助具を示し、（Ａ）は縦断面図、（Ｂ）は底面図である。
【図２】（Ａ）〜（Ｃ）は、図１の壁係止補助具を型枠に使用し、躯体コンクリートの表面に湿式材料を塗布する工法を工程順に示す説明図である。
【図３】（Ａ）〜（Ｅ）は、本発明の他の実施形態からなる壁係止補助具の要部を示す縦断面図である。
【図４】本発明の更に他の実施形態の壁係止補助具を示す底面図である。
【図５】本発明の更に他の実施形態の壁係止補助具を示す縦断面図である。
【図６】本発明の更に他の実施形態の壁係止補助具を示す縦断面図である。
【図７】本発明の更に他の実施形態の壁係止補助具を示す縦断面図である。
【図８】本発明の更に他の実施形態の壁係止補助具を示す縦断面図である。
【図９】本発明の更に他の実施形態の壁係止補助具を示す縦断面図である。
【符号の説明】
１　本体部
２　釘（固定手段）
３　係止部
４　堰堤部
６　ノッチ
５　細溝
１１　基盤部
１２　凸部
２０　壁係止補助具
２１　型枠
２２　躯体コンクリート
２３　下地モルタル
２４　タイル接着モルタル
２５　外装タイル
２６　線状材
【図１】
2004036132.tif 000003
【図２】
2004036132.tif 000004
【図３】
2004036132.tif 000005
【図４】
2004036132.tif 000006
【図５】
2004036132.tif 000007
【図６】
2004036132.tif 000008
【図７】
2004036132.tif 000009
【図８】
2004036132.tif 000010
【図９】
2004036132.tif 000011